(57)【特許請求の範囲】
【請求項１】
本体ケースと、前記本体ケース内を上部室と下部室とに仕切る仕切壁を有し、前記上部室に水タンク及び蒸気案内筒等を収容し、前記下部室に蒸発皿等を収容した加湿器において、操作用スイッチ及び表示用ランプ等を搭載した基板と、前記基板が取り付けられて前記本体ケースの前面上部側壁に沿って配設される操作パネルと、前記操作パネルの裏面下部に前記基板が取付けられる位置から下方に向けて延設された取付部と、前記下部室に設けられ、マイクロコンピュータ等を搭載した制御基板と、前記制御基板を内蔵する制御基板ケースとを備え、前記操作パネルの取付部は、その最下端が前記制御基板ケースの前方に突出するように傾斜配設されており、前記操作パネルの裏面下部には、前記制御基板ケースを固定する際に位置決めとなるリブを設けたことを特徴とする加湿器。
【発明の詳細な説明】
【０００１】
【発明の属する技術分野】
この発明は、水蒸気または水分を含んだ空気を発生することによって室内を加湿する加湿器に関する。
【０００２】
【従来の技術】
図５は従来の加湿器を示す断面図であり、図において、１は本体ケース、２は本体ケース１内を仕切る仕切壁である。そして、本体ケース１内には水タンク５、蒸気案内筒６、ヒータ７、蒸気皿８等が収容されている。９は本装置の操作及び表示を行うスイッチ、ランプ、ブザー等を搭載した基板、１０は本体ケース１下部に設けられ、一部のスイッチの押釦部分や表示ランプの集光部分が一体的に形成された操作パネル、１１は基板９に設けられ、操作パネル１０に設けた穴１０ｂより本体ケース１外側に突出した運転スイッチ、１２はマイクロコンピュータ等が搭載された制御基板、１３は制御基板１２を内部に組み込んだ制御基板ケース、１４は本体ケース１の底部を形成する底板であり、制御基板ケース１３が固定される。
【０００３】
従来の加湿器は、本体ケース１と基板９との間に設けられた操作パネル１０が本体ケース１の仕切壁２よりも下側に位置していたため、制御基板１２を組み込んだ制御基板ケース１３と操作パネル１０は並んで配置されていた。
【０００４】
【発明が解決しようとする課題】
上記のような従来の加湿器は、床やローテーブル等低い場所に置いた場合に、操作パネル１０が本体ケース１の下部にあるため、操作がしにくく、また、運転状態や現在湿度等のランプの表示も見にくいという問題点があった。
【０００５】
そして、上記のような課題を解決するために操作パネルを本体ケースの上部に取り付けるとともに、装置のコンパクト化を図るために制御基板ケースを操作パネルの下部に配置することが考えられるが、この場合には、加湿器の前面に水がかかると、本体ケースと操作パネルの隙間や操作パネルに形成されたスイッチ用の穴から水が浸入し、操作パネルを伝わって、操作パネルの下部から制御基板ケースへ水が滴下し、制御基板ケース内に水が浸入する恐れがあるという問題点があった。
【０００６】
この発明は上記のような課題を解決するためになされたものであり、本体ケースと操作パネルの隙間や、操作パネルのスイッチ用の穴から水が浸入しても、制御基板ケース内へ水が浸入することを防ぐ加湿器を提供することを目的としている。
【０００７】
【課題を解決するための手段】
この発明に係る加湿器においては、本体ケースと、前記本体ケース内を上部室と下部室とに仕切る仕切壁を有し、前記上部室に水タンク及び蒸気案内筒等を収容し、前記下部室に蒸発皿等を収容した加湿器において、操作用スイッチ及び表示用ランプ等を搭載した基板と、前記基板が取り付けられて前記本体ケースの前面上部側壁に沿って配設される操作パネルと、前記操作パネルの裏面下部に前記基板が取付けられる位置から下方に向けて延設された取付部と、前記下部室に設けられ、マイクロコンピュータ等を搭載した制御基板と、前記制御基板を内蔵する制御基板ケースとを備え、前記操作パネルの取付部は、その最下端が前記制御基板ケースの前方に突出するように傾斜配設されており、前記操作パネルの裏面下部には、前記制御基板ケースを固定する際に位置決めとなるリブを設けたものである。
【０００８】
また、前記操作パネルの裏面下部には、制御基板ケースを固定する際に位置決めとなるリブを設けたものである。
【０００９】
【発明の実施の形態】
実施の形態１．
図１はこの発明の実施の形態１を示す加湿器の断面図、図２は運転スイッチ付近の拡大図、図３は操作パネルの正面図、図４は操作パネルの裏面から見た斜視図である。図において、１は本体ケース、２は本体ケース１内部を上部室３と下部室４に仕切る仕切壁である。そして、上部室３には水タンク５、蒸気案内筒６が収容され、下部室４にはヒータ７、蒸気皿８等が収容されている。９は操作及び表示を行うスイッチ、ランプ、ブザー等が搭載されている基板、１０は本体ケース１の前面上部側壁に沿って設けられ、裏面に基板９が取付けられる操作パネルであり、一部のスイッチの押釦部分やランプの集光部分が一体的に形成されている。１０ａは操作パネル１０の下部に形成された取付部であり、基板９が取付けられる位置から下方に延設されている。１０ｂは操作パネル１０に形成された穴、１１は基板９に設けられて穴１０ｂより本体ケース１の外側に突出した運転スイッチである。１２は下部室４に設けられ、マイクロコンピュータ等の制御部品が配置された制御基板、１３は制御基板１２を内部に組み込んだ制御基板ケース、１４は本体ケース１の底部を形成し、制御基板ケース１３が固定される底板である。１５は取付部１０ａの裏面下部に設けた一対の取り付け用の支柱、１６は支柱１５の上下に設けられたリブ、１７は一対の支柱１５を仕切壁２に固定するねじである。また、１８は本体ケース１に設けられたパネル取付部、１９は取付部１０ａに形成した握り部である。
【００１０】
次に操作パネル１０の本体ケース１への取り付け方法について説明する。
まず、基板９を操作パネル１０の裏面にセットする。次に、この基板９をセットした操作パネル１０を本体ケース１内に挿入する。本体ケース１内に操作パネル１０が収納されると、操作パネル１０と一体的に形成された押釦部分やランプ集光部分の位置が本体ケース１のパネル取付部１８に形成された各透孔内に収まり、かつ操作パネル１０の取付部１０ａに形成された支柱１５が仕切壁２の下面に当接する。この状態で、支柱１５をねじ１７によって仕切壁２に固定し、操作パネル１０は本体ケース１へ取り付けられる。また、操作パネル１０は操作面が上方を向くように傾斜した状態で本体ケース１に取り付けられる。
なお、操作パネル１０は握り部１９を持って本体ケース１にねじ止めすることができ、組み立て性の向上が図れる。
【００１１】
また、支柱１５の下側に設けたリブ１６は、制御基板ケース１３を底板１４に固定するときの位置決め効果がある。
【００１２】
図１に示すとおり、操作パネル１０の取付部１０ａの一部は、制御基板ケース１３より前方に配設されているので、たとえ本体ケース１と操作パネル１０の隙間または操作パネル１０の穴１０ｂと運転スイッチ１１との隙間から水が侵入したとしても、水は操作パネル１０を伝って、制御基板ケース１３前側に滴下するので、制御基板ケース１３内に水が侵入してしまうことを防止できる。
【００１３】
【発明の効果】
以上のように、この発明によれば、本体ケースと、前記本体ケース内を上部室と下部室とに仕切る仕切壁を有し、前記上部室に水タンク及び蒸気案内筒等を収容し、前記下部室に蒸発皿等を収容した加湿器において、操作用スイッチ及び表示用ランプ等を搭載した基板と、前記基板が取り付けられて前記本体ケースの前面上部側壁に沿って配設される操作パネルと、前記操作パネルの裏面下部に前記基板が取付けられる位置から下方に向けて延設された取付部と、前記下部室に設けられ、マイクロコンピュータ等を搭載した制御基板と、前記制御基板を内蔵する制御基板ケースとを備え、前記操作パネルの取付部は、その最下端が前記制御基板ケースの前方に突出されるように傾斜配設されるので、本体ケースと操作パネルの隙間から水が浸入しても、制御基板ケース内へ水が浸入することを防ぐことができる。
【００１４】
また、前記操作パネルの裏面下部には、制御基板ケースを固定する際に位置決めとなるリブを設けたので、組立て性の向上が図れる。
【図面の簡単な説明】
【図１】  この発明の実施の形態１を示す加湿器の断面図である。
【図２】  この発明の実施の形態１を示す加湿器の運転スイッチ付近の拡大図である。
【図３】  この発明の実施の形態１を示す操作パネルの正面図である。
【図４】  この発明の実施の形態１を示す操作パネルの裏面から見た斜視図である。
【図５】  従来の加湿器を示す断面図である。
【符号の説明】
１  本体ケース、２  仕切壁、３  上部室、４  下部室、５  水タンク、６  蒸気案内筒、７  ヒータ、８  蒸気皿、９  基板、１０  操作パネル、１０ａ  取付部、１０ｂ  穴、１１  運転スイッチ、１２  制御基板、１３  制御基板ケース、１４  底板、１５  支柱、１６  リブ、１７  ねじ、１８  パネル取付部、１９握り部。
【図１】
0004066115.tif 000002
【図２】
0004066115.tif 000003
【図３】
0004066115.tif 000004
【図４】
0004066115.tif 000005
【図５】
0004066115.tif 000006